(57)【特許請求の範囲】
【請求項１】
係合部材が配設された端子台と端子台取り付け部材とからなる端子台装置において、係合部材には、上方に付勢された軸部が配設されているとともに、軸部の下端には、上面に傾斜面と突起とが形成されたカムブロックを介して、端子台取り付け部材のレール溝の溝幅より狭い短辺と端子台取り付け部材のレール溝の溝幅より長い長辺とを有する係合ブロックが形成されており、また、係合部材の下端水平部には、カムブロックの突起が挿入可能な分岐部と該分岐部間に位置する突起部とを有する、軸部が挿入される制御孔が形成されており、カムブロックの突起が、下端水平部に形成された制御孔の分岐部間に位置する突起部の裏面に入り込んで、係合部材の下端水平部と係合ブロックとの間に、端子台取り付け部材の天板部の厚み以上の間隙が形成され、且つ、端子台取り付け部材のレール溝に、係合ブロックが挿入された状態から、軸部を回転させて、カムブロックの突起を、制御孔の分岐部に挿入させることにより、軸部を上方に移動させて、係合ブロックの長辺が、端子台取り付け部材のレール溝に対して略直交するように位置するとともに、係合ブロックが、端子台取り付け部材の天板部の裏面に当接するように構成されていることを特徴とする端子台装置。
【発明の詳細な説明】
【０００１】
【発明の属する技術分野】
本発明は、サージを吸収する素子を有する保安器が、必要に応じて、取り付け可能な通信線等の電気回線を接続する端子台と、該端子台が取り付け可能な端子台取り付け部材とからなる端子台装置に関するものである。
【０００２】
【従来の技術】
従来、ネジ等により、端子台取り付け部材に、５心、１０心或いは２０心等の複数の端子台を取り付けるように構成された端子台装置が知られている。
【０００３】
【発明が解決しようとする課題】
従来の端子台装置においては、端子台取り付け部材に配設された複数の端子台のうちの所望の端子台を交換したり或いは所望の位置に端子台を追加したりする場合には、一旦、端子台取り付け部材から端子台を取り外し、その後、所望の端子台を交換したり、或いは、所望の位置に端子台を追加しなければならず、従って、端子台の交換作業或いは端子台の増減作業に、多大の時間と労力を要しており、上記作業の作業性が悪いという問題があった。
【０００４】
また、端子台の端子台取り付け部材への取り付けには、ネジ等が使用されているために、所謂、ワンタッチでは、端子台の端子台取り付け部材への取り付け、取り外しができず、従って、端子台の端子台取り付け部材への取り付け、取り外し作業の作業性が悪いという問題があった。
【０００５】
本発明の目的は、上述した従来の端子台装置が有する課題を解決することにある。
【０００６】
【課題を解決するための手段】
本発明は上述した目的を達成するために、係合部材が配設された端子台と端子台取り付け部材とからなる端子台装置において、係合部材には、上方に付勢された軸部が配設されているとともに、軸部の下端には、上面に傾斜面と突起とが形成されたカムブロックを介して、端子台取り付け部材のレール溝の溝幅より狭い短辺と端子台取り付け部材のレール溝の溝幅より長い長辺とを有する係合ブロックが形成されており、また、係合部材の下端水平部には、カムブロックの突起が挿入可能な分岐部と該分岐部間に位置する突起部とを有する、軸部が挿入される制御孔が形成されており、カムブロックの突起が、下端水平部に形成された制御孔の分岐部間に位置する突起部の裏面に入り込んで、係合部材の下端水平部と係合ブロックとの間に、端子台取り付け部材の天板部の厚み以上の間隙が形成され、且つ、端子台取り付け部材のレール溝に、係合ブロックが挿入された状態から、軸部を回転させて、カムブロックの突起を、制御孔の分岐部に挿入させることにより、軸部を上方に移動させて、係合ブロックの長辺が、端子台取り付け部材のレール溝に対して略直交するように位置するとともに、係合ブロックが、端子台取り付け部材の天板部の裏面に当接するように構成したものである。
【０００７】
【実施例】
以下、本発明の実施例について説明するが、本発明の趣旨を越えない限り何ら、本実施例に限定されるものではない。
【０００８】
１は、端子台であり、端子台１は、略口字状のブロック体２と、ブロック体２の下側に配設された機構室３と、機構室３の下側で、且つ、機構室３と一体に形成された台座４とを有している。台座４の両端側には、それぞれ、空き室４ａ、４ａが形成されるとともに、外側方向に間隙４ｂ、４ｂが形成されている。また、台座４の下面中央部には、下方が解放された凹部４ｃが形成されている。
【０００９】
ブロック体２、機構室３及び台座４には、一直線に、後述する端子台取り付け部材に、端子台１を取り付けるための貫通孔が穿設されている。図１には、ブロック体２に穿設された貫通孔２ａのみが示されている。
【００１０】
機構室３の両側に位置する台座４には、上方に延在する支持台５、５が形成されており、更に上述した間隙４ｂ、４ｂの上方に位置する台座４には、上方に延在する端子壁６、６が形成されており、支持台５、５と端子壁６、６と背壁７とにより絶縁部材８が構成されている。
【００１１】
ブロック体２と機構室３との間には、上部端子板９及び下部端子板１０が挟持されており．下部端子板１０の一方の端部１０ａは、上述した一方の支持台５と一方の端子壁６とを架橋するように配置されている。なお、下部端子板１０の一方の端部１０ａは、必要に応じて、線路を取着する端子ネジ１１が螺合可能なように構成されている。また、上述した間隙４ａ、４ａには、預け端子１２を構成する２枚の板からなる挟持部１２ａが挿入されており、預け端子１２を構成する筒状部１２ｂは、空き室４ａ、４ａ内に収容されている。
【００１２】
次に、主として、図１〜図４を用いて、端子台１に配設された係合部材１３について説明する。
【００１３】
アース体として機能する係合部材１３は、板状の垂直部１３ａと、垂直部１３ａの上部に形成された略逆Ｕ字状のアース端子枠１３ｂと、垂直部１３ａの下端から水平方向に延在する板状の下端水平部１３ｃと、下端水平部１３ｃの上方に配置された、板状の軸部支持部１３ｄとを有しており、軸部支持部１３ｄには、後述する回動部材の軸部が挿入可能ば透孔１３ｄ１が穿設されている。また、下端水平部１３ｃには、平面形状が、略十字状の制御孔１３ｃ１が穿設されており、更に、下端水平部１３ｃには、制御孔１３ｃ１を挟んで、下端水平部１３ｃを下方に膨出させることにより形成された一対の接点部１３ｃ２が形成されている。
【００１４】
１３ｅは、係合部材１３を構成する円柱状の軸部であり、軸部１３ｅの中央部及び下部には、所定の間隔を置いて、リング溝１３ｅ１が形成されている。また、軸部１３ｅの下端には、軸部１３ｅを上下動させるカムブロック１３ｆを介して、係合ブロック１３ｇが形成されている。カムブロック１３ｆは、その上面に、９０度置きに突設された突起１３ｆ１を有しており、４つの突起１３ｆ１には、同じ方向に傾斜した傾斜面１３ｆ１’が形成されている。また、係合ブロック１３ｇは、平面形状が、長方形に形成されており、その下部は、逆山形状に形成されている。本実施例においては、上記の軸部１３ｅの下部に位置するリング溝１３ｅ１が、カムブロック１３ｆと軸部１３ｅとの境界部に形成されている例が示されている。
【００１５】
係合部材１３は、軸部１３ｅを、軸部支持部１３ｄの透孔１３ｄ１及び下端水平部１３ｃの略十字状の制御孔１３ｃ１に挿通するとともに、軸部１３ｅに形成された上方のリング溝１３ｅ１に嵌入されたＥリング１４ａと軸部支持部１３ｄとの間に、軸部１３ｅに挿入された圧縮コイルスプリング１５を配設し、且つ、下端水平部１３ｃの下方に位置する下部のリング溝１３ｅ１に、圧縮コイルスプリング１５により上方に付勢された係合部材１３の軸部１３ｅの上方への移動を規制し、且つ、下端水平部１３ｃの下面に当接するＥリング１４ｂが嵌入することにより組み立てられる。
【００１６】
上述した係合部材１３は、軸部１３ｅを、ブロック体２、機構室３及び台座４に、一直線に形成された貫通孔に挿通するとともに、下端水平部１３ｃが、台座４の裏面に位置し、且つ、台座４の凹部４ｃに位置するように配置される。
【００１７】
図５において、１６は、端子台取り付け部材であり、端子台取り付け部材１６は、レール溝１６ａ１を有する天板部１６ａと、相対する垂直部１６ｂと、底板部１６ｃとから構成されている。
【００１８】
次に、端子台取り付け部材１６への端子台１の取り付け手段について、主として、図６〜図８を用いて説明する。
【００１９】
先ず最初に、係合部材１3 の平面形状が長方形の係合ブロック１3 ｇの長手方向が、絶縁部材８を構成する背壁７に直交するように配置し、この状態で、図６に示されているように、係合部材１３の係合ブロック１３ｇを、端子台取り付け部材１６のレール溝１６ａ１に挿入する。係合部材１３の係合ブロック１３ｇの短辺方向の幅ｗ１は、端子台取り付け部材１６のレール溝１６ａ１の溝幅ｗ２より、狭く形成されているので、上記のように、係合部材１３の係合ブロック１３ｇが、端子台取り付け部材１６のレール溝１６ａ１に挿入可能なように構成されている。この状態においては、係合部材１３のカムブロック１３ｆに形成された４つの突起１３ｆ１は、略十字状の制御孔１３ｃ１を構成する中央部１３ｃ１’から分岐した分岐部１３ｃ１”に挿入されている。
【００２０】
次いで、係合部材１３の軸部１３ｅの天部に形成された、一例としてのマイナス溝１３ｋに、マイナスドライバーを挿入し、係合部材１３の軸部１３ｅを回転させると、係合部材１３のカムブロック１３ｆに形成された４つの突起１３ｆ１が、略十字状の制御孔１３ｃ１を構成する中央部１３ｃ１’から分岐した分岐部１３ｃ１”に挿入されている状態から、突起１３ｆ１の傾斜面１３ｆ１’が、下端水平部１３ｃの下面に沿って移動しながら、突起１３ｆ１が、下端水平部１３ｃの分岐部１３ｃ１”間に位置する突起部１３ｃ３の裏面に入り込み、係合部材１３の軸部１３ｅが、軸部１３ｅに挿入された圧縮コイルスプリング１５の付勢力に抗して、下方に移動される。この軸部１３ｅの下方への移動により、図７に示されているように、下端水平部１３ｃと係合部材１３の係合ブロック１３ｇとの間に、端子台取り付け部材１６の天板部１６ａの厚み以上の間隙が形成されることになる。
【００２１】
更に、係合部材１３の軸部１３ｅを回転させると、係合部材１３のカムブロック１３ｆに形成された４つの突起１３ｆ１が、再度、略十字状の制御孔１３ｃ１の分岐部１３ｃ１”に挿入され、従って、係合部材１３の軸部１３ｅは、軸部１３ｅに挿入された圧縮コイルスプリング１５の付勢力により、上方に移動する移動することになる。この状態においては、図８に示されているように、係合部材１３の係合ブロック１３ｇは、その長辺が、端子台取り付け部材１６のレール溝１６ａ１に対して略直交するように構成されており、レール溝１６ａ１の溝幅ｗ２より長い長辺を有する係合ブロック１３ｇは、端子台取り付け部材１６の天板部１６ａの裏面に当接している。従って、下端水平部１３ｃに形成された接点部１３ｃ２が、圧縮コイルスプリング１５の付勢力により、端子台取り付け部材１６の天板部１６ａに圧接されることになり、アースとして機能する係合部材１３と端子台取り付け部材１６の接触が絶たれるようなことが防止できる。
【００２２】
上述したようにして、複数の端子台１を、端子台取り付け部材１６に取り付ける。
【００２３】
１７は、エンドストッパーであり、エンドストッパー１７は、垂直部１７ａと水平部１７ｂとにより構成されている。水平部１７ｂには、透孔が穿設されており、透孔に挿入されたボルト１７ｃは、端子台取り付け部材１６のレール溝１６ａ１の溝幅ｗ２より、幅広の係止ブロック１７ｄに形成されたネジ孔に螺合されている。複数の端子台１を、端子台取り付け部材１６に取り付けた後、両端部に位置する端子台１に当接するように、エンドストッパー１７を移動させた後、ボルト１７ｃを回転させて、ボルト１７ｃと係止ブロック１７ｄとにより、端子台取り付け部材１６の天板部１６ａを挟持することにより、端子台取り付け部材１６に配設された端子台１が移動しないように構成されている。
【００２４】
端子台取り付け部材１６に配設された複数の端子台１間に、端子台１を増設する場合には、先ず最初に、エンドストッパー１７のボルト１７ｃを緩めた後、エンドストッパー１７を、端子台１から、所定の距離、遠ざける。次いで、端子台１を構成する係合部材１３の軸部１３ｅを回転させて、平面形状が長方形の係合部材１３の係合ブロック１３ｇを、上述したように、端子台取り付け部材１６のレール溝１６ａ１に挿入し、端子台１間に、所望の間隙を形成する。その後、増設される端子台１を、上述したようにして、端子台取り付け部材１６に取り付け、その後、既に配設された端子台１を、増設される端子台１方向に移動させ、その後、係合部材１３の軸部１３ｅを回転させて、上述したように、既に配設された端子台１を、端子台取り付け部材１６に取り付ける。その後、エンドストッパー１７を、両端に位置する端子台１に当接させるとともに、上述したようにして、エンドストッパー１７を、端子台取り付け部材１６に固定する。上記と同様に順序により、端子台取り付け部材１６に配設された所定の端子台１を、端子台取り付け部材１６から取り外すことができる。
【００２５】
図９には、端子台１の回線状態を表示する示名条片部材１８を取り付け、取り外し自在に配設するようにした実施例が示されている。示名条片部材１８は、示名条片が取着される水平部１８ａと、水平部１８ａの両端から垂設された相対する垂直部１８ｂとを有しており、垂直部１８ｂの相対する面には、水平ガイド凹部１８ｃが形成されている。この水平ガイド凹部１８ｃを、ブロック体２の側壁２ｂに形成された水平凸部２ｃに嵌合させることにより、端子台１のブロック体２に、示名条片部材１８を取り付け、取り外し自在に配設するように構成されている。
【００２６】
図１０には、端子台１に保安器１９を取り付け、取り外し自在に配設するように構成した実施例が示されている。保安器１９の下面に垂設された平面形状が、略コの字状の取り付け部材１９ａを、上部端子板９の垂直部９ａに嵌合するとともに、係合部材１３のアース端子枠１３ｂに形成されたネジ孔１３ｂ１と保安器１９に形成された垂直孔１９ｂとを合致させた後に、保安器１９に形成された垂直孔１９ｂにボルトを挿通し、ボルトを、係合部材１３のアース端子枠１３ｂに形成されたネジ孔１３ｂ１に螺合させることにより、端子台１に保安器１９を取り付け、取り外し自在に配設するように構成されている。
【００２７】
上述した端子台１と端子台取り付け部材１６とからなる端子台装置においては、端子台１を構成する係合部材１３は、端子台取り付け部材１６に、電気的に接続されており、従って、端子台取り付け部材１６を接地することにより、端子台装置の接地を行うことができる。
【００２８】
また、係合部材１３を構成する円柱状の軸部１３ｅを、ドライバー等の通常の工具を用いて回転させることにより、簡単に、端子台取り付け部材１６に、取り付け、取り外すことができる。
【００２９】
更には、従来のように、端子台取り付け部材に取り付けられた端子台の全部を、端子台取り付け部材から取り外すことなく、係合部材１３を構成する軸部１３ｅを回転させて、端子台１を、端子台取り付け部材１６のレール溝１６ａ１に沿って移動させ、所望の間隙を形成するだけで、該間隙に、端子台１を装着することができる。
【００３０】
更にまた、端子台取り付け部材１６に取り付けられた端子台１を、全部、取りはずことなく、単に、係合部材１３を構成する軸部１３ｅを回転させるだけの動作により、係合部材１３を構成する係合ブロック１３ｇを、端子台取り付け部材１６のレール溝１６ａ１から抜き取り、端子台取り付け部材１６から端子台１を取り外すことができ、また、端子台１が取り外された間隙に、上述したようにして、簡単に、且つ、迅速に、新たな端子台１を装着することができる。
【００３１】
【発明の効果】
本発明は、上述したような構成を有するので、以下に記載する効果を奏するものである。
【００３２】
端子台を構成する係合部材の軸部を回転させることにより、前記軸部に形成された係合ブロックと、レール溝が形成された端子台取り付け部材との係合及び係合解除を行うように構成されているので、従来の端子台装置のように、端子台取り付け部材に取り付けられた端子台の全部を、端子台取り付け部材から取り外すことなく、単に、端子台を構成する係合部材の軸部を回転させるだけで、端子台を、端子台取り付け部材から取り外すことができるとともに、端子台を構成する係合部材の軸部を回転させて、端子台を、端子台取り付け部材に沿って移動させて、所望の間隙を形成することにより、簡単に、端子台の増設が可能となる。
【図面の簡単な説明】
【図１】図１は本発明の端子台装置を構成する端子台の斜視図である。
【図２】図２は本発明の端子台装置を構成する端子台の係合部材の分解斜視図である。
【図３】図３は本発明の端子台装置を構成する端子台の係合部材の斜視図である。
【図４】図４は本発明の端子台装置を構成する端子台の一部仮想線を含む斜視図である。
【図５】図５は本発明の端子台装置の斜視図である。
【図６】図６は本発明の端子台装置の一部断面を含む側面図である。
【図７】図７は図６と同様の本発明の端子台装置の一部断面を含む側面図である。
【図８】図８は図６と同様の本発明の端子台装置の一部断面を含む側面図である。
【図９】図９は本発明の端子台装置を構成する端子台に示名条片部材を取り付ける状態を示す分解斜視図である。
【図１０】図１０は本発明の端子台装置を構成する端子台に保安器を取り付ける状態を示す分解斜視図である。
【符号の説明】
１・・・・・・・・・・・・端子台
１３・・・・・・・・・・・係合部材
１３ｅ・・・・・・・・・・軸部
１３ｇ・・・・・・・・・・係合ブロック
１６・・・・・・・・・・・端子台取り付け部材
１６ａ１・・・・・・・・・レール溝
１７・・・・・・・・・・・エンドストッパー
１８・・・・・・・・・・・示名条片部材
１９・・・・・・・・・・・保安器
【図１】
0004054537.tif 000002
【図２】
0004054537.tif 000003
【図３】
0004054537.tif 000004
【図４】
0004054537.tif 000005
【図５】
0004054537.tif 000006
【図６】
0004054537.tif 000007
【図７】
0004054537.tif 000008
【図８】
0004054537.tif 000009
【図９】
0004054537.tif 000010
【図１０】
0004054537.tif 000011